(57)【要約】      （修正有）【課題】列設状態の各畳における框材と最外周端面部、更には複数の畳相互間を相互に緊密な密接状態に保持することが可能で、安全性に優れた畳寄せ框構造を提供する。【解決手段】畳寄せ框構造１は、床３上に敷設される各畳４に対し、各畳４の最外周端面部を間隔を隔てて囲むよう配置し、各畳４の端面部同士を密接状態とする畳寄せを行う畳寄せ框構造１である。各畳４の最外周端面部の形状に対応した配置で、所定の間隔をもって床３に設けられ、框材２１連結用のネジ孔を具備する各框材受け機構部１１と、垂直片２２と、水平片２３とを具備する。垂直片２２側を畳４の最外周端面部に添設し、位置調整用の複数の取り付け孔を設けた水平片２３側を各畳４の最外周端部の底面下に位置する各框材２１と、各畳４の劣化破損に対応して、框材２１の水平片２３側を畳寄せ方向に位置調整した状態で框材受け機構部１１のネジ孔に締結する締結具とを有する。【選択図】図１
0003187762.tif 000002
【実用新案登録請求の範囲】
【請求項１】
床上に端面部同士を当接させつつ縦横に並べて敷設される複数の畳に対して、前記各畳の最外周端面部を所定の間隔を隔てて囲むように配置され、前記各畳の端面部同士を密接状態とする畳寄せを行う畳寄せ框構造であって、
縦横に敷設される複数の畳の最外周端面部の形状に対応する配置で、かつ、所定の間隔をもって前記床に設けた複数の框材受け機構部と、
垂直片と水平片とを一体形成し、垂直片側を畳の最外周端面部に添設する状態とし、水平片側を畳の端部底面下に位置させるとともに、前記各框材受け機構部に対して位置調整可能に、かつ、着脱可能に連結する状態として、前記各畳の劣化破損に対応して前記水平片側を畳み寄せ方向に位置調整して框材受け機構部に取り付ける複数のＬ状の框材と、
を有し、
前記框材の垂直片側と畳の最外周端面部間、縦横に並べて敷設される複数の畳相互間を密着状態に維持可能としたことを特徴とする畳寄せ框構造。
【請求項２】
床上に端面部同士を当接させつつ縦横に並べて敷設される複数の畳に対して、前記各畳の最外周端面部を所定の間隔を隔てて囲むように配置され、前記各畳の端面部同士を密接状態とする畳寄せを行う畳寄せ框構造であって、
縦横に敷設される複数の畳の最外周端面部の形状に対応する配置で、かつ、所定の間隔をもって前記床に設けられるとともに、框材連結用のネジ孔を具備する複数の框材受け機構部と、
垂直片と水平片とを一体形成し、垂直片側を畳の最外周端面部に添設する状態とし、位置調整用の複数の取り付け孔を設けた水平片側を前記畳の最外周端部の底面下に位置させる複数のＬ状の框材と、
前記各畳の劣化破損に対応して、前記框材の水平片側を畳み寄せ方向に位置調整した状態で取り付け孔に挿通し前記框材受け機構部のネジ孔に締結するネジ又はボルトからなる締結具と、
を有し、
前記框材の垂直片側と畳の最外周端面部間、縦横に並べて敷設される複数の畳相互間を密着状態に維持可能としたことを特徴とする畳寄せ框構造。
【請求項３】
床上に端面部同士を当接させつつ縦横に並べて敷設される複数の畳に対して、前記各畳の最外周端面部を所定の間隔を隔てて囲むように配置され、前記各畳の端面部同士を密接状態とする畳寄せを行う畳寄せ框構造であって、
縦横に敷設される複数の畳の最外周端面部の形状に対応する配置で、かつ、所定の間隔をもって前記床に設けられるとともに、框材連結用のネジ孔を具備する複数の框材受け機構部と、
垂直片と水平片とを一体形成し、垂直片側を畳の最外周端面部に添設する状態とし、位置調整用の複数の取り付け孔を設けた水平片側を前記畳の最外周端部の底面下に位置させる複数のＬ状の框材と、
前記各畳の劣化破損に対応して、前記框材の水平片側を畳み寄せ方向に位置調整した状態で取り付け孔に挿通し前記框材受け機構部のネジ孔に締結するネジ又はボルトからなる締結具と、
前記各框材の垂直片の上端全長にわたって嵌着したゴム材又は合成樹脂材からなる逆Ｕ字状のキャップ材と、
を有し、
前記框材の垂直片側と畳の最外周端面部間、縦横に並べて敷設される複数の畳相互間を密着状態に維持可能としたことを特徴とする畳寄せ框構造。
【請求項４】
前記框材は、前記畳の長辺寸法より小さい細長形状で、全長にわたる垂直片と水平片とを具備し、前記水平片の両端部に設けた一対の広幅部に、対となる２個ずつ５組、合計１０個の取り付け孔を設け、各組の取り付け孔の垂直片と直交する方向の各離隔寸法を各組別に５段階に異ならせるとともに、各組の取り付け孔間の寸法を５組全てにわたって同一としたことを特徴とする請求項１乃至３のいずれかに記載の畳寄せ框構造。
【考案の詳細な説明】
【技術分野】
【０００１】
本考案は、畳寄せ框構造に関し、詳しくは、武道場、体育館等の屋内運動場の床に縦横配置に敷設され列設される複数の畳の位置保持用として好適で、列設状態の各畳における框材と最外周端面部、更には複数の畳相互間を相互に緊密な密接状態に保持することが可能で、安全性に優れた畳寄せ框構造に関するものである。
【背景技術】
【０００２】
例えば、柔道場、体育館等において床面に縦横に敷き詰められた多数の畳に対して複数の框材を用いた畳寄せ框構造を適用する場合、特に各框材と各畳の最外周端面部との間を常に相互に緊密な密接状態に維持する必要がある。
【０００３】
仮に各畳の劣化損傷等により例えば框材と畳の最外周端面部との間に、更には畳の微小な位置ずれにより各畳間に隙間等が生じると、激しい練習をする柔道等の練習者等の足指を隙間等に入れてしまい骨折等の大きな怪我の基になる等の重大な問題が発生する。
【０００４】
本出願の出願人は、先にこの種の畳寄せ框構造として、武道場等の床上に敷設され列設される畳の周辺部に配置されて、畳の位置ずれを防止する畳寄せ框構造であって、床に設けた下部側にガイド長穴を設けた段付き穴部と、段付き穴部の下側に配置されるとともに前記ガイド長穴に嵌入するガイドピンを備えた下側補助金具と、段付き穴部内に埋め込まれ、前記ガイドピンのガイド長穴への嵌入にて段付き穴部下側で位置決めされる下側補助金具に対してボルト止めにて固定される埋め込み金具とを備えた框材受け機構と、前記畳の周辺部に一片が当接され、前記床上に配置される他片が段付き穴部内の埋め込み金具にボルト止めにて固定されるＬ状の框材と、を有する構成からなる畳寄せ框構造を提案している（特許文献１）。
【０００５】
しかし、この特許文献１の畳寄せ框構造の場合、柔道等の練習者等が激しい練習を繰り返し行うことによって各畳の最外周端面部やその近辺部分が劣化損傷し隙間等が生じたような場合、更には、複数の畳相互間に微小な隙間等が生じたような場合においても、一度設置した後においては框材の位置調整は不可能であることから隙間を無くすような構造調整ができず、足指の骨折等の事態が生じ得るという問題を包含している。
【特許文献１】特許第４３８３１３８号公報
【考案の開示】
【考案が解決しようとする課題】
【０００６】
本考案は、上記従来の実情に鑑み開発されたものであり、先に提案した特許文献１に係る畳寄せ框構造を改良し、特に列設状態の各畳における框材と最外周端面部、更には複数の畳相互間を相互に緊密な密接状態に、すなわち、複数の畳相互間に隙間を生じない状態に保持することが可能で、従来の如く複数の畳相互間に隙間が生じてしまい当該隙間内に不用意に足指を入れてしまって練習者等の足指の骨折等のような大きな怪我の発生を未然に防止することが可能で、安全性に優れた畳寄せ框構造を提供せんとするものである。
【課題を解決するための手段】
【０００７】
本考案は、床上に端面部同士を当接させつつ縦横に並べて敷設され列設される複数の畳に対して、前記各畳の最外周端面部を所定の間隔を隔てて囲むように配置され、前記各畳の端面部同士を密接状態とする畳寄せを行う畳寄せ框構造であって、縦横に敷設され列設される複数の畳の最外周端面部の形状に対応する配置で、かつ、所定の間隔をもって前記床に設けた複数の框材受け機構部と、垂直片と、水平片とを一体形成し、垂直片側を畳の最外周端面部に添設する状態とし、水平片側を畳の端部底面下に位置させるとともに、前記各框材受け機構部に対して位置調整可能に、かつ、着脱可能に連結する状態として、前記各畳の劣化破損に対応して、前記水平片側を畳み寄せ方向に位置調整して框材受け機構部に取り付ける複数のＬ状の框材と、を有し、前記框材の垂直片側と畳の最外周端面部間、縦横に並べて敷設され列設される複数の畳相互間を密着状態に維持可能としたことを最も主要な特徴とする。
【考案の効果】
【０００８】
請求項１記載の考案によれば、各框材の各框材受け機構部に対する簡略な位置調整だけで列設状態の各畳における框材の垂直片と最外周端面部、更には複数の畳相互間を相互に隙間が生じない緊密な密接状態に保持することが可能で、従来の如く複数の畳相互間に隙間が生じてしまい当該隙間内に不用意に足指を入れてしまって柔道等の練習者の足指の骨折等のような大きな怪我の発生を未然に防止することが可能で、安全性に優れた畳寄せ框構造を実現し提供することができる。
【０００９】
請求項２記載の考案によれば、各框材の取り付け孔と各框材受け機構部のネジ孔に対する簡略な位置調整と締結具によるネジ止め締結とにより、請求項１記載の考案と同様、列設状態の各畳における框材の垂直片と最外周端面部、更には複数の畳相互間を相互に隙間が生じない緊密な密接状態に保持することが可能で、従来の如く複数の畳相互間に隙間が生じてしまい当該隙間内に不用意に足指を入れてしまって柔道等の練習者の足指の骨折等のような大きな怪我の発生を未然に防止することが可能で、安全性に優れた畳寄せ框構造を実現し提供することができる。
【００１０】
請求項３記載の考案によれば、請求項２記載の考案と同様な効果を奏するとともに、各框材の垂直片の上端全長にわたって嵌着したゴム材又は合成樹脂材からなる逆Ｕ字状のキャップ材を備えたことから、キャップ材により柔道等の練習者の足指等が接触したような場合でも、キャップ材が柔らかく受け止めることができ、より安全性に優れた畳寄せ框構造を実現し提供することができる。
【００１１】
請求項４記載の考案によれば、請求項１乃至３のいずれかに記載の畳寄せ框構造において、前記框材を、全長にわたる垂直片、水平片を具備する構造とし、前記水平片の両端部に設けた一対の広幅部に、対となる２個ずつ５組、合計１０個の取り付け孔を設け、各組の取り付け孔の垂直片と直交する方向の各離隔寸法を各組別に５段階に異ならせるとともに、各組の取り付け孔間の寸法を５組全てにわたって同一としたものであるから、定位置の各框材受け機構部を何等構造変更することなく、各框材を各畳の長辺端面部又は短辺端面部に対して簡略容易に５段階位置調整可能に取り付けることが可能で、列設状態の各畳における框材の垂直片と最外周端面部、更には複数の畳相互間を相互に隙間が生じないに状態を長期間にわたって維持することが可能な畳寄せ框構造を実現し提供することができる。
【図面の簡単な説明】
【００１２】
【図１】図１は本考案の実施例に係る畳寄せ框構造を適用した縦横列設配置の複数の畳の一部を示す概略平面図である。
【図２】図２は本実施例に係る畳寄せ框構造の框材を配置した縦横列設配置の複数の畳の一部を底面側から見た概略底面図である。
【図３】図３は本実施例に係る畳寄せ框構造における框材の拡大平面図である。
【図４】図４は本実施例に係る畳寄せ框構造における框材の部分切欠拡大平面図である。
【図５】図５は本実施例に係る畳寄せ框構造における框材を框材受け機構部に取り付ける状態を示す概略部分説明図である。
【図６】図６は本実施例に係る畳寄せ框構造における框材を框材受け機構部に取り付けた状態を示す概略部分説明図である。
【図７】図７は本実施例に係る畳寄せ框構造による畳の保持状態を示す部分拡大断面図である。
【図８】図８は本実施例に係る畳寄せ框構造における畳の保持状態の当初の状態を示す部分拡大平面図である。
【図９】図９は本実施例に係る畳寄せ框構造における畳の保持状態の当初の状態を示す部分拡大断面図である。
【図１０】図１０は本実施例に係る畳寄せ框構造における畳と框材との間に隙間が生じた状態を示す部分拡大平面図である。
【図１１】図１１は本実施例に係る畳寄せ框構造における一枚の畳と框材との間に隙間が生じた状態を示す部分拡大断面図である。
【図１２】図１２は本実施例に係る畳寄せ框構造における框材の位置変更により框材の垂直片側と一枚の畳の最外周端面部との間の隙間を無くした状態を示す部分拡大平面図である。
【図１３】図１３は本実施例に係る畳寄せ框構造における框材の位置変更により框材の垂直片側と一枚の畳の最外周端面部との間の隙間を無くした状態を示す部分拡大断面図である。
【考案を実施するための形態】
【００１３】
本考案は、柔道場等において列設状態の各畳における框材と最外周端面部、更には複数の畳相互間を相互に緊密な密接状態に保持することができ、従来の如く複数の畳相互間に隙間が生じてしまい当該隙間内に不用意に足指を入れてしまって練習者等の足指の骨折等のような大きな怪我の発生を未然に防止することが可能で、安全性に優れた畳寄せ框構造を提供するという目的を、床上に端面部同士を当接させつつ縦横に並べて敷設され列設される複数の畳に対して、前記各畳の最外周端面部を所定の間隔を隔てて囲むように配置され、前記各畳の端面部同士を密接状態とする畳寄せを行う畳寄せ框構造であって、縦横に敷設され列設される複数の畳の最外周端面部の形状に対応する配置で、かつ、所定の間隔をもって前記床に設けられるとともに、框材連結用のネジ孔を具備する複数の框材受け機構部と、垂直片と、水平片とを一体形成し、垂直片側を畳の最外周端面部に添設する状態とし、位置調整用の複数の取り付け孔を設けた水平片側を前記畳の最外周端部の底面下に位置させる複数のＬ状の框材と、前記各畳の劣化破損に対応して、前記框材の水平片側を畳み寄せ方向に位置調整した状態で取り付け孔に挿通し前記框材受け機構部のネジ孔に締結するネジ又はボルトからなる締結具と、を有し、前記框材の垂直片側と畳の最外周端面部間、縦横に並べて敷設され列設される複数の畳相互間を密着状態に維持可能とした構成により実現した。
【実施例】
【００１４】
以下、本考案の実施例に係る畳寄せ框構造について図面を参照して詳細に説明する。
【００１５】
まず、本実施例に係る畳寄せ框構造１の全体構成について図１乃至図７を参照して説明する。
【００１６】
本実施例に係る畳寄せ框構造１は、例えば図１に示すように、柔道場、体育館等の床３上において、各畳４の長辺端面部４ａ同士、短辺端面部４ｂ同士を当接させつつ縦横に並べ、全体として広面積の四角形状を呈するように敷設され列設される複数の畳４に対して、複数の框材２１及び框材受け機構部１１を用いて前記各畳４の最外周端面部を所定の間隔を隔てて囲むように配置し、前記各畳４の端面部同士、すなわち、各畳４の長辺端面部４ａ、短辺端面部４ｂを各々密接状態に維持する構造としている。前記床３は、図７に示すように、基礎床５上に配置した棧２上に水平配置に支持する構造としている。
【００１７】
ここで、前記最外周端面部とは、全体として広面積の四角形状を呈する複数の畳４における最も外側に位置する各畳４の外側の長辺端面部４ａを連ねた端面部、又は最も外側に位置する各畳４の外側の短辺端面部４ｂを連ねた端面部を意味するものとして以下の説明を行う。
【００１８】
また、前記各畳４は、実際には全体として広面積の四角形状を呈するように縦横列設状態に所要数敷設されるが、図１、図２においては縦方向に３枚、横方向に４枚互いに密接して敷設した一部の状態を示す。
【００１９】
前記畳４は、本実施例の場合、例えば１８２０ｍｍ×９１０ｍｍの寸法に形成している。
【００２０】
前記畳寄せ框構造１について更に詳述する。
【００２１】
前記畳寄せ框構造１は、前記複数の畳４のうちの最外周端面部の形状に対応する配置で、かつ、所定の間隔をもって前記床３に設けられるとともに、框材連結用のネジ孔２０ｃを具備する所要数の框材受け機構部１１と、例えば金属材又は硬質の合成樹脂材を素材として一体形成した端面Ｌ字状を呈する垂直片２２、水平片２３を具備する所要数の框材２１と、前記框材２１を框材受け機構部１１のネジ孔２０ｃに着脱可能に締結するネジ又はボルトからなる所要数の締結具３１と、前記各框材２１の垂直片２２の上端全長にわたって嵌着したゴム材又は合成樹脂材からなる端面逆Ｕ字状のキャップ材４１と、を有している。
【００２２】
前記框材受け機構部１１は、前記床３に対して、前記複数の畳４のうちの縦方向の最外周端面部側では一枚の畳４について前記各ネジ孔２０ｃの間隔Ｌで２箇所ずつ、横方向の最外周端面部側では一枚の畳４について１箇所ずつ、かつ、隣りあう框材受け機構部１１の間で前記各ネジ孔２０ｃの間隔がＬとなるように設けている。
【００２３】
前記間隔Ｌは、詳細は後述する框材２１の取り付け孔２５ａ、取り付け孔２６ａ間の間隔Ｌに対応させたものである。
【００２４】
前記框材２１は、図３、図４に拡大して示すように、前記畳４一枚の長辺寸法より小さい細長形状（例えば１４００ｍｍ）で、全長にわたる垂直片２２、水平片２３を具備するとともに、前記水平片２３の両端部２３ａ、２３ｂ側に一対の広幅部２４ａ、２４ｂを対称配置に設けている。
【００２５】
そして、一対の広幅部２４ａ、２４ｂに、締結具３１が挿通可能な対となる２個ずつ５組、合計１０個の皿孔状の取り付け孔２５ａ乃至２５ｅ及び皿孔状の取り付け孔２６ａ乃至２６ｅを設けている。
【００２６】
すなわち、一方の広幅部２４ａの取り付け孔２５ａと他方の広幅部２４ｂの取り付け孔２６ａ、同様に取り付け孔２５ｂと取り付け孔２６ｂ、取り付け孔２５ｃと取り付け孔２６ｃ、取り付け孔２５ｄと取り付け孔２６ｄ、取り付け孔２５ｅと取り付け孔２６ｅを各々組として、合計５組構成としている。
【００２７】
前記取り付け孔２５ａ及び取り付け孔２６ａの垂直片２２と直交する方向の各離隔寸法をともにｔ１、取り付け孔２５ｂ及び取り付け孔２６ｂの垂直片２２と直交する方向の各離隔寸法をともにｔ２、取り付け孔２５ｃ及び取り付け孔２６ｃの垂直片２２と直交する方向の各離隔寸法をともにｔ３、取り付け孔２５ｄ及び取り付け孔２６ｄの垂直片２２と直交する方向の各離隔寸法をともにｔ４、取り付け孔２５ｅ及び取り付け孔２６ｅの垂直片２２と直交する方向の各離隔寸法をともにｔ５としている。
【００２８】
なお、寸法基準は垂直片２２の外面、前記取り付け孔２５ａ乃至２５ｅ及び取り付け孔２６ａ乃至２６ｅの各中心としている。
【００２９】
このように、前記取り付け孔２５ａ乃至２５ｅ及び取り付け孔２６ａ乃至２６ｅに関して、各組別に垂直片２２と直交する方向の各離隔寸法を、ｔ１乃至ｔ５からなる５段階に異ならせている。
【００３０】
前記離隔寸法ｔ１乃至ｔ５の寸法関係は、ｔ１＜ｔ２＜ｔ３＜ｔ４＜ｔ５とし、具体的寸法例としては、ｔ１＝２７．５ｍｍ、ｔ２＝３５ｍｍ、ｔ３＝４２．５ｍｍ、ｔ４＝５０．０ｍｍ、ｔ５＝５７．５ｍｍ等の例を挙げることができる。
【００３１】
更に、前記取り付け孔２５ａ、取り付け孔２６ａ間、前記取り付け孔２５ｂ、取り付け孔２６ｂ間、前記取り付け孔２５ｃ、取り付け孔２６ｃ間、前記取り付け孔２５ｄ、取り付け孔２６ｄ間、前記取り付け孔２５ｅ、取り付け孔２６ｅ間の間隔をともに同一のＬとしている。
【００３２】
前記間隔Ｌとしては、例えばＬ＝９００ｍｍ等の例を挙げることができる。
【００３３】
次に、図５乃至図７を参照して本実施例に係る畳寄せ框構造１の詳細及び前記畳４の保持状態について説明する。
【００３４】
前記畳寄せ框構造１は、上述したように、所要数の框材受け機構部１１と、所要数の框材２１と、所要数の締結具３１と、所要数のキャップ材４１と、を具備している。
【００３５】
前記框材受け機構部１１は、図５、図６に示すように、前記床３の上部側に円形孔１４、下部側に例えば矩形状のガイド長穴１６を有する段付き穴部１７を穿設し、この段付き穴部１７の下側に、前記ガイド長穴１６部分の所定の位置に嵌入するガイドピン１８及び２個のボルト孔１９ａを備えた前記ガイド長穴１６よりも長い薄型直方体状の下側補助金具１９を配置している。
【００３６】
また、前記段付き穴部１７の円形孔１４の内部には、２個のボルト挿入孔２０ａ，２０ｂ及び前記締結具３１の螺合用の前記ネジ孔２０ｃを有する円板状の埋め込み金具２０を埋め込みようになっている。そして、前記ガイドピン１８のガイド長穴１６部分の所定位置への嵌入にて段付き穴部１７の下側で位置決めされる下側補助金具１９の２個のボルト孔１９ａに対して、２個の固定ボルト２７によるボルト止めにて円形孔１４内の埋め込み金具２０をネジ止め固定するようになっている。
【００３７】
更に、前記埋め込み金具２０上に前記ネジ孔２０ｃに対応した配置の皿孔１３を形成したカラー１２を載せ、前記框材受け機構部１１の上面を床３と面一にするとともに、前記框材２１を用意して、締結具３１を前記框材２１の例えば取り付け孔２５ｅ、皿孔１３を貫通させて前記ネジ孔２０ｃにねじ込み締結することで、前記框材２１の垂直片２２を図７に示すように畳４の長辺端面部４ａに密接させる配置とすることにより、前記畳４を定位置に保持するように構成している。前記框材２１の取り付け孔２６ｅに関しても同様である。
【００３８】
このとき、ゴム材等からなる柔軟なキャップ材４１も、図７に示すように、前記框材２１の垂直片２２の上端部分において畳４の長辺端面部４ａに密接し、これにより、柔道等の練習者の足指等が前記框材２１の垂直片２２の上端部分に接触したような場合でも、キャップ材４１が柔らかく受け止めるため、当該練習者の足指等に怪我が生じることが防止される。
【００３９】
このような畳寄せ框構造１による畳４の保持構造が全ての畳４に対して実施される。
【００４０】
具体例として、畳４を全体で例えば５０畳敷きとした場合、各畳４は図１に示す横方向に１０枚ずつ、縦方向に５列配置となり、このとき、框材２１は横方向用に５×２＝１０個、縦方向用に５×２＝１０個で、合計２０個用いれ、框材受け機構部１１は、床３に対して横方向に１０×２個、縦方向にも１０×２個、合計４０箇所所定の配置で設けられる、
次に、図８乃至図１３を参照して、前記框材２１の位置変更による前記框材２１の垂直片２２側と各畳４の最外周端面部間を密着状態に維持する態様について、図１に示す左上隅の畳４の長辺端面部４ａ側において対応する框材２１の垂直片２２との間に隙間Ｇが生じた場合を例にとって説明する。
【００４１】
図８、図９は、隙間Ｇが生じていない当初の状態を示すものであり、この状態では、各畳４の長辺端面部４ａ側及び短辺端面部４ｂ側いずれにおいても最外周端面部と各框材２１との間に隙間Ｇは生じていない。
【００４２】
このとき、框材２１の水平片２３に設けた取り付け孔２５ｅに締結具３１を挿通し、前記框材受け機構部１１の埋め込み金具２０のネジ孔２０ｃにねじ込み締結しているものとする。同様に、前記框材２１の水平片２３に設けた他方の取り付け孔２６ｅに締結具３１を挿通し、前記框材受け機構部１１の隣りの框材受け機構部１１の埋め込み金具２０にネジ孔２０ｃにねじ込み締結しているものとする。
【００４３】
次に、図１０、図１１に示すように、柔道の激しい練習によって、図１に示す左上隅の畳４の長辺端面部４ａ側が劣化破損し、この畳４の長辺端面部４ａ側と対応する框材２１の垂直片２２との間に隙間Ｇが生じたものとする。
【００４４】
この場合には、図１に示す左上隅の畳４の長辺端面部４ａ側を少し持ち上げるようにして２個の締結具３１を各々前記各ネジ孔２０ｃから離脱させ、対応する框材２１を一旦取り外す。
【００４５】
次に、図１２、図１３に示すように、前記框材２１を隙間Ｇが無くなるように位置変更し、前記框材２１の水平片２３に設けた取り付け孔２５ａに締結具３１を挿通し、前記框材受け機構部１１の埋め込み金具２０のネジ孔２０ｃにねじ込み締結する。
【００４６】
同様に、前記框材２１の水平片２３に設けた他方の取り付け孔２６ａに締結具３１を挿通し、前記框材受け機構部１１の隣りの框材受け機構部１１の埋め込み金具２０にネジ孔２０ｃにねじ込み締結する。
【００４７】
これにより、図１２、図１３に示すように、前記框材２１の垂直片２２を、図４に示すように離隔寸法（ｔ５−ｔ１）分だけ前記畳４側に寄った状態で、かつ、隙間Ｇを無くした状態で前記畳４の長辺に密接する状態に構造変更することができる。
【００４８】
この場合、既述したように、前記框材２１の取り付け孔２５ａ、２６ａの垂直片２２からの離隔寸法はともにｔ５で同一であり、かつ、前記框材２１の取り付け孔２５ａ、２６ａ間の間隔Ｌと、取り付け孔２５ａ、２６ａ間の間隔Ｌとが等しく、かつ、隣り合う框材受け機構部１１同士におけるネジ孔２０ｃ、２０ｃ間の間隔もＬであることから、各框材受け機構部１１については何等の構造変更を必要とせず、前記框材２１のみの位置変更で、簡略容易に隙間Ｇを無くす調整作業を実施できる。
【００４９】
以上の説明では、図１に示す左上隅の畳４の長辺端面部４ａ側において対応する框材２１の垂直片２２との間に隙間Ｇが生じた場合について説明したが、これに限らず他の畳４と対応する框材２１の垂直片２２との間に隙間Ｇが生じた場合も、長辺端面部４ａ側、短辺端面部４ｂ側双方とも上述した場合と同様にして対応する框材２１のみの位置変更で、簡略容易に当該隙間Ｇを無くす調整作業を実施できる。
【００５０】
また、既述した框材２１の各取り付け孔２５ａ乃至２５ｅ、及び各取り付け孔２６ａ乃至２６ｅの構造により、本実施例の框材２１によれば各取り付け孔２５ａ乃至２５ｅ、及び各取り付け孔２６ａ乃至２６ｅの垂直片２２からの離隔寸法を一組ずつｔ１、ｔ２、ｔ３、ｔ４、ｔ５と５段階に異ならせているので、前記隙間Ｇの寸法に応じて各框材２１を当初の状態を含め合計５段階にわたって各畳４の長辺端面部４ａ又は短辺端面部４ｂに対する位置変更が可能であり、激しい練習が行われる柔道場において長期間にわたって上述したような隙間Ｇを無くす調整作業を当該隙間Ｇの寸法に応じて各々簡略容易に行うことが可能で、柔道場等に適用して極めて有益な畳寄せ框構造１を実現することができる。
【００５１】
なお、本実施例においては、短辺端面部４ｂ側は２枚の畳４について１個の框材２１を配置しているので、隙間Ｇの発生に基づく框材２１の位置調整も２枚の畳４を単位として行うものである。
【００５２】
また、激しい練習に伴い、長辺端面部４ａ又は短辺端面部４ｂではなく、隣り合う畳４の接合端面間に隙間Ｇが生じたような場合には、これらの畳４に関連する複数の框材２１を各々取り外し、隙間Ｇを無くすように各畳４を敷き直した後、関連する複数の框材２１を各々対応する框材受け機構部１１に既述した場合と同様にして取り付け直すことで、簡略容易に当該隙間Ｇを無くす調整作業を実施できる。
【００５３】
以上説明した本実施例の畳寄せ框構造１によれば、柔道場等における列設状態の各畳４における各框材２１と各畳４の最外周端面部との間、更には、隣り合う畳４の接合端面部間に生じる隙間Ｇが生じない状態に保持することが長期間にわたって可能であり、従来の如く複数の畳相互間に隙間が生じてしまい当該隙間内に不用意に足指を入れてしまって柔道等の練習者の足指の骨折等のような大きな怪我の発生を未然に防止することが可能で安全性に優れた新規、かつ、斬新な畳寄せ框構造１を実現し、提供することができる。
なお、本実施例の場合、前記畳４のサイズを例えば１８２０ｍｍ×９１０ｍｍの寸法に形成しているが、本考案のような畳寄せ框構造１によれば、新しい畳である否かは別としても、畳の縦・横のサイズの如何を問わず如何なるサイズの畳を敷設、列設する場合であっても、例えば畳サイズに誤差があった場合でも、当該誤差を補正して、畳サイズに応じて自在に、簡略容易に隙間Ｇを無くしながら畳を敷設し列設することができる。
そして、柔道場、武道場等において既に敷設、列設されている各畳４の最外周端面部が経時的な損傷等により例えばグズグズのような状態となった場合でも、簡略容易に隙間Ｇを無くす調整作業を実施できることは勿論である。
【産業上の利用可能性】
【００５４】
本考案の畳寄せ框構造１は、柔道場、武道場の他、畳を敷設する体育館等における畳寄せ框構造として広範に適用可能である。
【符号の説明】
【００５５】
１    畳寄せ框構造
２    棧
３    床
４    畳
４ａ  長辺端面部
４ｂ  短辺端面部
５    基礎床
１１    框材受け機構部
１２    カラー
１３    皿孔
１４    円形孔
１６    ガイド長穴
１７    段付き穴部
１８    ガイドピン
１９    下側補助金具
１９ａ  ボルト孔
２０    埋め込み金具
２０ａ  ボルト挿入孔，
２０ｂ  ボルト挿入孔
２０ｃ  ネジ孔
２１    框材
２２    垂直片
２３    水平片
２３ａ  端部
２３ｂ  端部
２４ａ  広幅部
２４ｂ  広幅部
２５ａ  取り付け孔
２５ｂ  取り付け孔
２５ｃ  取り付け孔
２５ｄ  取り付け孔
２５ｅ  取り付け孔
２６ａ  取り付け孔
２６ｂ  取り付け孔
２６ｃ  取り付け孔
２６ｄ  取り付け孔
２６ｅ  取り付け孔
２７    固定ボルト
３１    締結具
４１    キャップ材
Ｇ    隙間
Ｌ    間隔
ｔ１〜ｔ５  離隔寸法
【図１】
0003187762.tif 000003
【図２】
0003187762.tif 000004
【図３】
0003187762.tif 000005
【図４】
0003187762.tif 000006
【図５】
0003187762.tif 000007
【図６】
0003187762.tif 000008
【図７】
0003187762.tif 000009
【図８】
0003187762.tif 000010
【図９】
0003187762.tif 000011
【図１０】
0003187762.tif 000012
【図１１】
0003187762.tif 000013
【図１２】
0003187762.tif 000014
【図１３】
0003187762.tif 000015